(57)【要約】【課題】格別な保持具を用いることなく、また美観を損なうことなくポップカードを保持し得る仕切り板を提供する。【解決手段】陳列台上の商品間を仕切るために陳列台上に配置される仕切り板は、陳列台の前面で上下方向に伸びる前縁を有し陳列台の奥行き方向に沿って配置される仕切り部を備える。仕切り部の前縁には、ポップカードを保持すべく該ポップカードの縁部を受け入れる蟻溝状の縦溝が前縁に開いて形成されている。【選択図】図１
0003121530.tif 000002
【実用新案登録請求の範囲】
【請求項１】
陳列台上の商品間を仕切るために前記陳列台上に配置される仕切り板であって、前記陳列台の前面で上下方向に伸びる前縁を有し前記陳列台の奥行き方向に沿って配置される仕切り部を備え、該仕切り部の前記前縁には、ポップカードを保持すべく該ポップカードの縁部に設けられた厚肉部を受け入れ可能の広幅部および前記ポップカードの厚肉部を除く部分の挿通を許す細幅部を有する縦溝であって前記細幅部で前記前縁に開放する縦溝が形成されており、前記縦溝は、前記仕切り部の上端に開き、また前記縦溝には前記ポップカードの下方への移動を規制する手段が設けられていることを特徴とする仕切り板。
【請求項２】
前記縦溝は前記仕切り部の上端からその下端に向けて伸び、該下端に至る前に終端し、前記規制手段は前記縦溝の終端を規定すべく前記仕切り部に形成された底部分である、請求項１に記載の仕切り板。
【請求項３】
前記縦溝の広幅部は前記仕切り部の上端からその下端に向けて伸び、該下端に至る前に終端し、前記規制手段は前記縦溝の広幅部の終端を規定する前記仕切り部の一部である、請求項１に記載の仕切り板。
【請求項４】
前記仕切り板は、さらに前記陳列台上で商品の荷重を受ける基板部を備え、該基板部から前記仕切り部が立ち上がる、請求項１に記載の仕切り板。
【請求項５】
前記基板部は矩形状を有し、前記仕切り部は、前記基板部の一辺の方向へ相互に間隔をおいて前記基板部から立ち上がる複数の内側柱部分と、該内側柱部分を横切るように該内側柱部分に直角に組み合わせられた複数の梁部分と、該梁部分の各端部をそれぞれ相互に連結すべく前記内側柱部分に平行に配置された一対の外側柱部分とを有し、該外側柱部分の少なくとも一方が前記前縁を規定する、請求項４に記載の仕切り板。
【請求項６】
直線縁部を有し該直線縁部に沿った肉厚部が形成されたポップカードと、陳列台上の商品間を仕切るために前記陳列台上に配置される仕切り板とを備え、該仕切り板は、前記陳列台の前面で上下方向に伸びる前縁を有し前記陳列台の奥行き方向に沿って配置される仕切り部を備え、該仕切り部の前記前縁には、前記ポップカードを保持すべく該ポップカードの前記厚肉部を受け入れ可能の広幅部および前記ポップカードの厚肉部を除く部分の挿通を許す細幅部を有する縦溝であって前記細幅部で前記前縁に開放する縦溝が形成されており、該縦溝は前記仕切り部の上端に開き、また前記縦溝には前記ポップカードの下方への移動を規制する手段が設けられていることを特徴とする、ポップカードおよび仕切り板の組み合わせ。
【請求項７】
前記ポップカードは、一様な厚さ寸法を有するカード本体と、前記カード本体の縁部を挟み込む一対のクリップ部を有する板状クリップとを備え、前記クリップ部が前記厚肉部を規定する、請求項６に記載の組み合わせ。
【考案の詳細な説明】
【技術分野】
【０００１】
本考案は、商品の陳列台に組み合わせて使用される仕切り板あるいはこの仕切り板とこれに支持されるポップカードとの組み合わせに関する。
【背景技術】
【０００２】
スーパマーケットのような商店の陳列台には、一般的に、価格や種類の異なる多数の商品が並べられている。これら価格や種類の異なる商品を整然と配置するために、陳列台に仕切り板を用いることがある。この陳列台上を区画する仕切り板を利用して、それぞれの区画領域に配置された商品の情報を表示するためのポップカードを保持することが広く行われている。
【０００３】
この種の保持具に、仕切り板の縁部を挟み込む仕切り板挟持部と、ポップカードを挟持するカード挟持部とを備えるポップカード保持具がある（例えば、特許文献１参照）。このポップカード保持具によれば、その仕切り板挟持部で仕切り板の前縁を挟み込み、この仕切り板挟持部に連結部を介して結合されたカード挟持部にポップカードを挟み込むことにより、該ポップカードが目立つように、これを陳列台の前方に突き出した状態で保持することができる。
【０００４】
【特許文献１】特開２００２−２０９６８６号公報（第３頁、図１）
【０００５】
しかしながら、このような保持具を用いる手法では、この保持具を落下させることなく確実に仕切り板に固定するために、保持具の自重を支えるための強い挟持力が必要になることから、仕切り板挟持部が大型化する。また、仕切り板挟持部とポップカード挟持部との間に連結部が介在することから、保持具が全体的に大型化するために、この保持具が美観を損ねる虞がある。
【考案の開示】
【考案が解決しようとする課題】
【０００６】
そこで、本考案の目的は、格別な保持具を用いることなく、ポップカードを保持し得る仕切り板あるいは該仕切り板とポップカードとの組み合わせを提供することにある。
また、本考案の他の目的は、美観を損なうことなく、ポップカードを保持し得る仕切り板あるいは仕切り板とポップカードとの組み合わせを提供することにある。
【課題を解決するための手段】
【０００７】
本考案は、基本的には、仕切り板とポップカードとの間にいわゆる蟻溝のような縦溝を用いた溝結合を利用する。
【０００８】
すなわち、本考案は、陳列台上の商品間を仕切るために前記陳列台上に配置される仕切り板であって、前記陳列台の前面で上下方向に伸びる前縁を有し前記陳列台の奥行き方向に沿って配置される仕切り部を備え、該仕切り部の前記前縁には、ポップカードを保持すべく該ポップカードの縁部に設けられた厚肉部を受け入れ可能の広幅部および前記ポップカードの厚肉部を除く部分の挿通を許す細幅部を有する縦溝であって前記細幅部で前記前縁に開放する縦溝が形成されており、該縦溝は前記仕切り部の上端に開き、また前記縦溝には前記ポップカードの下方への移動を規制する手段が設けられていることを特徴とする。
【０００９】
本考案に係る前記仕切り板では、その仕切り部の、陳列台の前面に配置される前記前縁に、広幅部および細幅部を有するいわゆる蟻溝のような溝が縦方向に形成されている。この縦溝は、前記細幅部で前縁に開放し、また前記仕切り部の上端に開く。前記ポップカードは、前記仕切り部の上端から、前記厚肉部が設けられた縁部が前記縦溝内の広幅部に受け入れられかつポップカードの縁部を除く本体部分が細幅部を経て前記縦溝外に張り出すように、該縦溝に挿入される。
このポップカードの縦溝に沿った下方への落下は、前記規制手段により阻止される。また、ポップカードの前記縦溝からの前方への引き抜きは、ポップカードの縁部に設けられた前記厚肉部と、該厚肉部を受け入れる前記仕切り部の前記広幅部から細幅部に至る肩部分との係合により阻止される。
【００１０】
したがって、従来のような格別な保持具を用いることなく、比較的単純な構成で、確実にポップカードを仕切り板に保持することができる。
【００１１】
ポップカードには、商品名、その価格あるいは特徴等の商品情報が記載された紙あるいは厚紙からなるポップカード本体を用いることができ、必要に応じてその紙面を透明樹脂材料で被覆することができる。このようなポップカードの前記厚肉部は、このポップカード本体の厚さ寸法を部分的に増大させて形成することができる。
【００１２】
また、一様な厚さ寸法のポップカード本体に、例えば合成樹脂材料からなる一対の帯状の板部材を接着剤で付着することにより、前記厚肉部を形成することができる。あるいは、この一対の帯状板部材の一体的を図ることによって板状のクリップを形成し、このクリップでポップカードの縁部を挟み込み、これによって前記厚肉部を形成することができる。また、前記したように、透明樹脂材料からなる被覆層を有するポップカードでは、この樹脂材料からなる被覆層の一部に多数の突起部を形成することができる。この場合、これらの突起の高さに応じてポップカードの実質的な厚みを増大させることができるので、前記突起によって前記厚肉部を形成することができる。
【００１３】
しかしながら、前記したような板状クリップをポップカード本体に挟み込む手法が、一様な厚さ寸法の従来のポップカードを新たに作り直すことなく、また格別な接着材を用いることなく、ポップカードに厚肉部を迅速かつ容易に形成することができる点で、優れている。
【００１４】
前記仕切り板の仕切り部を陳列台の一部として該陳列台に固定的に設けることができる。しかしながら、前記仕切り部に関連して、陳列台上で商品の荷重を受ける基板部を形成することにより、Ｌ字状のブックエンドと同様な使いかたができる。すなわち、前記基板部を陳列台の陳列面と該陳列面上に配置される商品との間に配置することにより、商品の重さを利用して、前記仕切り板を陳列台上の所望位置に保持することが可能となる。そのため、仕切り板を陳列台に固定することなく、またその固定のための手段を必要とすることなく、ポップカードが保持された前記仕切り板を陳列面上で、陳列台の前後方向と直角な横方向の任意の配置位置に配置しかつ保持することができる。
【００１５】
前記仕切り板の前縁に形成される前記縦溝を前記仕切り部の下端に向けて伸長させ、前記縦溝を前記下端に至る前に終端させることができる。この場合、前記規定手段は、前記縦溝の終端を規定する前記仕切り部の一部、すなわちポップカードの下縁に当接する底部分であり、該底部分によってポップカードの下方への落下を防止できる。
【００１６】
また、前記縦溝を前記仕切り部の下端に向けて伸長させ、この縦溝のうち、広幅部のみを前記仕切り部の下端に至る前に終端させることができる。この場合、細溝は前記底部分を貫いて下方に開放するが、広幅部の終端を規定する前記底部分の一部が厚肉部に係合してポップカードの下方への落下を防止する。
【００１７】
仕切り板の前記仕切り部を平板部材で形成することができる。しかしながら、前記仕切り部を複数の柱部分および梁部分を組み合わせて構成することにより、視界を遮ることなく見栄えに優れた仕切り部を形成することができる。このような仕切り部は、例えば、矩形の基板部の一辺の方向へ相互に間隔をおいて前記基板部から立ち上がる複数の内側柱部分と、該内側柱部分を横切るように該内側柱部分に直角に組み合わせられた複数の梁部分と、該梁部分の各端部をそれぞれ相互に連結すべく前記内側柱部分に平行に配置された一対の外側柱部分とで形成することができ、この外側柱部分の少なくとも一方に前記縦溝を形成することができる。
【考案の効果】
【００１８】
本考案に係る仕切り板あるいは該仕切り板とポップカードとの組み合わせによれば、前記したように、その仕切り部の、前記陳列台の前面で上下方向に伸びる前縁に蟻溝状の縦溝が形成され、この縦溝にポップカードの縁部が差し込まれて保持される。そのため、従来のような美観を損なう原因となる大型の保持具を用いることなく、また、取り外し可能な格別な保持具を仕切り板に結合することなく、比較的単純な構成で、ポップカードを陳列台の前面で保持することが可能となる。
【考案を実施するための最良の形態】
【００１９】
以下、本考案を図示の実施例に沿って詳細に説明する。
【実施例】
【００２０】
本考案に係る仕切り板１０は、図１に示されているように、陳列台１２の陳列面１２ａ上に配置された多数の商品１４の配置領域を区画するために用いられている。仕切り板１０は、陳列面１２ａに沿って配置される基板部１６と、該基板部から直角に立ち上がる仕切り部１８とを備える。図示の例では、矩形状を有する基板部１６および格子状の仕切り部１８が合成樹脂材料によって一体的に形成されている。
【００２１】
仕切り板１０の基板部１６は、仕切り部１８が陳列面１２ａの前面から陳列台１２の奥行き方向に沿って配置されるように、陳列面１２ａ上で、該陳列面とその上に配置された商品１４との間に挿入されている。これにより、仕切り板１０は、その基板部１６上に乗る商品１４の重さによって、仕切り部１８の両側１８ａ、１８ｂのうちの一方が陳列台１２の前面に位置するように、陳列面１２ａ上に保持される。この仕切り板１０の仕切り部１８は、陳列面１２ａ上を陳列台１２の奥行き方向と直角な幅方向に区画する。
【００２２】
図１に示す例では、仕切り部１８の両側１８ａ、１８ｂのうち、一方の仕切り部１８ａが陳列台１２の前面に位置するように配置され、この一方の側部１８ａに全体に矩形のポップカード２０が支持されている。
【００２３】
仕切り板１０の仕切り部１８は、図２に拡大して示すように、複数の柱部分１８ａ〜１８ｃおよび複数の梁部分１８ｄ〜１８ｆを相互に直角に組み合わせて構成されている。図示の例では、梁部分１８ｄ〜１８ｆのうち、最下方に位置する一本の梁部分１８ｄが、矩形の基板部１６の補強部として、該基板部の一方の長辺に沿って該基板部に一体的に形成されている。複数の柱部分１８ａ〜１８ｃのうち、一対の外側柱部分１８ａ、１８ｂが基板部１６の外側に配置されており、この一対の外側柱部分１８ａ、１８ｂを除く複数の内側柱部分１８ｃは、補強梁部分１８ｄの長手方向すなわち基板部１６の長辺方向へ相互に間隔をおいてそれぞれが補強梁部分１８ｄから直角に立ち上がる。この補強梁部分１８ｄを不要とすることができる。その場合、複数の内側柱部分１８ｃは、それぞれ基板部１６から直接立ち上がる。
【００２４】
補強梁部分１８ｄを含む各梁部分１８ｄ〜１８ｆは、内側柱部分１８ｃの長手方向へ相互に間隔をおいて、梁部分１８ｄに平行に配置されている。補強梁部分１８ｄおよび該梁部分に隣り合う梁部分１８ｅは、基板部１６の両短辺間の領域を越えて内側柱部分１８ｃの列の外方へ伸長することはない。他方、これら両梁部分１８ｄ、１８ｅを除く他の複数の梁部分１８ｆの両端は、それぞれ内側柱部分１８ｃの列を越えてその外方に伸長する。これらの梁部分１８ｆの両端は、一対の外側柱部分１８ａ、１８ｂにそれぞれ連結され、一体化されている。
【００２５】
一対の外側柱部分１８ａ、１８ｂは、それぞれ仕切り部１８の両側を構成する。この仕切り部１８の前縁および後縁を形成する一対の外側柱部分１８ａ、１８ｂには、ポップカード２０の縁部を受け入れるための縦溝２２、２２がそれぞれ形成されている。一対の外側柱部分１８ａ、１８ｂについての各縦溝２０を含む各部の構成は、同一であり、以下、主として、仕切り部１８の前縁を形成する一方の外側柱部分１８ａに沿って説明する。
【００２６】
外側柱部分１８ａには、図２に示すように、その長手方向に沿って縦溝２２が伸長する。この縦溝２２は、外側柱部分１８ａの上端面を示す図３に明確に示されているように、広幅部２２ａおよび細幅部２２ｂを備える。広幅部２２ａは、仕切り部１８の梁部分１８ｆの長さ方向に一致する方向を長辺とし、該長辺と直角な辺を短辺とする全体に矩形横断面形状を有する。図３には、広幅部２２ａの長辺の長さおよび短辺長さがそれぞれＬ１およびＬ２で示されている。
【００２７】
広幅部２２ａの前記一対の短辺のうち、前記した仕切り部１８の前縁を規定する外側柱部分１８ａの外側面２４に近接する短辺に一端が開放して細幅部２２ｂが形成されている。広幅部２２ａの短辺長さＬ２に沿った細幅部２２ｂの幅寸法Ｌ３は、広幅部２２ａの短辺長さすなわち幅寸法Ｌ２よりも小さい。この細幅部２２ｂの他端が外側面２４すなわち仕切り部１８の前縁２４に開放する。これにより、広幅部２２ａは細幅部２２ｂを経て前縁２４に開放する。また、外側柱部分１８ａの広幅部２２ａから細幅部２２ｂに至る遷移領域には、一対の肩部分２６が形成されている。
【００２８】
外側柱部分１８ａの長手方向に沿って伸びる縦溝２２は、前記したように、細幅部２２ｂで前縁２４に開放することから、いわゆる蟻溝状の縦溝を構成する。この縦溝２２は、また外側柱部分１８ａの上端で開く。他方、外側柱部分１８ａの下端には、図３に示されているように、縦溝２２の下端を閉鎖する底部分２８が外側柱部分１８ａに一体的に形成されている。図２には、縦溝２２の上端からその下端の終端に至る長さがｈ１で示されている。
【００２９】
ポップカード２０は、図４（ａ）に示すように、ほぼ均一な厚さ寸法ｔ１を有する例えば厚紙のようなカード本体３０を備える。このカード本体３０の厚さ寸法ｔ１は、図３に示した縦溝２２の細幅部２２ｂの幅寸法Ｌ３よりも僅かに小さい。このカード本体３０の両面には、商品１４の名称、価格あるいは特徴等、消費者が必要とする商品１４についての情報が例えば印刷によって記載されている。このカード本体３０の補強あるいは汚れの付着を防止するために、その両面を必要に応じて透明な樹脂材料で被覆することができる。
【００３０】
図４（ａ）に示されているように、このカード本体３０の一方の長辺に沿って、幅寸法Ｌ４を有し厚さ寸法ｔ２を有する帯状の一対の合成樹脂板３２がカード本体３０の両面に配置されており、接着剤によってカード本体３０の縁部に沿ってそれぞれ貼り付けられている。図２に示すように、各合成樹脂板３２の下端はカード本体３０の下端に一致して配置されており、合成樹脂板３２の長さ寸法ｈ１は、縦溝２２の長さ寸法ｈ２よりも僅かに短く設定されている。
【００３１】
この合成樹脂板３２の貼り付けによって、ポップカード２０の合成樹脂板３２の貼り付け領域における厚さ寸法は、カード本体３０の厚さ寸法ｔ１と両合成樹脂板３２の厚さ寸法ｔ２との和（ｔ１＋２×ｔ２）となることから、ポップカード２０には、合成樹脂板３２の貼り付け領域に対応した厚肉部２０ａが形成される。この厚肉部２０ａの厚さ寸法（ｔ１＋２×ｔ２）は、縦溝２２の広幅部２２ａの幅寸法Ｌ２より小さくかつ細幅部２２ｂの幅寸法Ｌ３よりも大きい。さらに、合成樹脂板２８の貼り付けにより形成される厚肉部２０ａの幅寸法Ｌ４は、広幅部２２ａの長辺長さＬ１よりも小さい。したがって、ポップカード２０の厚肉部２０ａは仕切り部１８に形成された縦溝２２の広幅部２２ａに受け入れ可能である。また、厚肉部２０ａのカード本体３０が延在する一側には、ポップカード２０の肩部分３４が形成される。
【００３２】
外側柱部分１８ａに形成された縦溝２２の広幅部２２ａは、ポップカード２０の厚肉部２０ａを受け入れ可能であり、また縦溝２２の細幅部２２ｂは、ポップカード２０の厚肉部２０ａを除くカード本体部分３０の挿通を許す。このことから、このポップカード２０の非厚肉部が細幅部２２ｂを挿通するように、ポップカード２０の厚肉部２０ａが設けられた縁部を外側柱部分１８ａの縦溝２２にその上端から差し込むことができる。このポップカード２０の縦溝２２への差し込みによって、ポップカード２０の下端の一部が底部分２８に当接すると、ポップカード２０の仕切り板１０への取り付け作業が終了する。
【００３３】
このポップカード２０の取り付け状態では、外側柱部分１８ａの底部分２８によってポップカード２０の縦溝２２に沿った下方への脱落が防止される。また、ポップカード２０が縦溝２２の細幅部２２ｂより前方へ向けて引き出されようとすると、図３に示した外側柱部分１８ａの肩部分２６と、図４に示したポップカード２０の肩部分３４との係合によって、ポップカード２０の細幅部２２ｂからの抜け出しが阻止される。
【００３４】
したがって、本考案に係る仕切り板１０によれば、前記したように、ポップカード２０の厚肉部２０ａが設けられた一側部を仕切り部１８に形成された蟻溝状の縦溝２２に、その上端から下方へ向けて差し込み、縦溝２２と厚肉部２０ａを溝嵌合させることができる。また、規制手段である外側柱部分１８ａの底部分２８によってポップカード２０の縦溝２２に沿った下方への脱落を阻止できる。これにより、格別な保持具を用いることなく、確実にポップカード２０を仕切り板１０に保持することができる。
【００３５】
ポップカード２０の厚肉部２０ａをポップカード２０の下端から上端に連続して形成することができる。しかしながら、図２に示したように、ポップカード２０の下端からの厚肉部２０ａの長さ寸法ｈ２を縦溝２２の長さ寸法より小さくすることにより、両者の嵌合状態で厚肉部２０ａが外側柱部分１８ａからはみ出すことを防止できるので、美観の点から、図示の例が望ましい。
【００３６】
ポップカード２０の厚肉部２０ａは、図４（ｂ）に示すように、ポップカード２０の縁部を挟持する一対の帯状部分１３２ａ、１３２ａおよび該両帯状部分を結合する連結部１３２ｂで構成されるＵ字断面形成の板状クリップ１３２で形成することができる。この板状クリップ１３２を例えば樹脂材料で形成することにより、樹脂材料の弾力を利用してポップカード２０の直線縁部を挟み込むことができる。したがって、接着剤を用いることなく、単に板状クリップ１３２でカード本体３０を挟み込むことによってポップカード２０に前記したと同様な厚肉部２０ａを形成することができる。
【００３７】
また、ポップカード２０が前記したような樹脂材料の被覆層を有するカード本体３０からなる場合、この被覆層に多数の突起部を形成することができる。これらの突起の高さに応じてポップカードの実質的な厚みを増大させることができるので、前記突起によって前記したと同様な厚肉部を形成することができる。
さらに、ポップカード２０を前記したカード本体３０と、該カード本体を挟み込む一対のカバー部分を有する透明樹脂カバーとで構成することができる。この場合、前記カバー部分に、前記したと同様な縦溝２２の広幅部２２ａに受け入れられる厚肉部が、その縁部の折り返しによって形成される。
【００３８】
図４（ａ）、（ｂ）には、厚肉部２０ａがポップカード２０の両面でいずれも平坦面を形成する全体に矩形断面形状の例を示したが、これに代えて、厚肉部の表面が半円状となるように、厚肉部を円形断面形状（図示せず）とすることができる。この場合、図５に示すように、縦溝２２の広幅部１２２ａは、図５に示すように、前記厚肉部の円形断面形状に適合する円形断面形状を与えられる。
【００３９】
また、仕切り部１８に、図３に示したような縦溝２２の底部分２８を形成することに代えて、図５に示すように、フランジ部１２８を形成することができる。フランジ部１２８は、細幅部１２２ｂの領域に沿って広幅部１２２ａ内に張り出し、細幅部１２２ｂを終端させることなく、広幅部１２２ａの終端を規定する。これにより、フランジ部１２８は、前記球状断面形状を有する厚肉部の下端との当接によって、ポップカード２０の下方への脱落を防止する。したがって、フランジ部１２８は、ポップカード２０の下方への脱落を防止する前記底部分２８と同様な規制手段として作用する。
【００４０】
本考案に係る仕切り板１０は、両面陳列の陳列台に用いられた場合、両外側柱部分１８ａ、１８ｂの縦溝２２、２２にポップカード２０を適用することができる。
【００４１】
また、仕切り板１０の基板部１６を不要とすることができる。この場合、仕切り部１８は、例えば陳列面１２ａのような陳列台１２の一部にボルトナットのような締結具を介して固定的に取り付けることができる。また、仕切り部１８を陳列台１２と一体に形成することにより、前記締結具を不要とするができる。
【産業上の利用可能性】
【００４２】
本考案は、上記実施例に限定されず、その趣旨を逸脱しない限り、種々に変更することができる。例えば、ポップカードの厚肉部および該厚肉部を受け入れる縦溝の広幅部に種々の断面形状を適用することができ、また棚状の多段陳列台に本考案に係る仕切り板を使用することができる。
【図面の簡単な説明】
【００４３】
【図１】本考案に係る仕切り板の使用形態の一例を示す斜視図である。
【図２】図１に示した仕切り板およびポップカードを示す斜視図である。
【図３】図１に示した仕切り板の一部を拡大して示す斜視図である。
【図４】図２に示した線IV-IVに沿って得られた断面図を示し、図４（ａ）はその一例を示し、図４（ｂ）はその変形例を示す。
【図５】本考案の仕切り板に設けられる縦溝の変形例を示す図３と同様な図面である。
【符号の説明】
【００４４】
１０  仕切り板
１２  陳列台
１４  商品
１６  基板部
１８  仕切り部
１８ａ、１８ｂ  外側柱部分
１８ｃ  内側柱部分
１８ｄ〜１８ｆ  梁部分
２０  ポップカード
２０ａ  厚肉部
２２  縦溝
２２ａ、１２２ａ  広幅部
２２ｂ  細幅部
２４  前縁（外側面）
２８、１２８  規制手段（底部分、フランジ部）
３０  カード本体
【図１】
0003121530.tif 000003
【図２】
0003121530.tif 000004
【図３】
0003121530.tif 000005
【図４】
0003121530.tif 000006
【図５】
0003121530.tif 000007